(57)【要約】【課題】  特に、小型化、組み立て容易性、生産効率性の向上、保守性の向上を図る。【解決手段】カメラ用ライトとして回路基盤１０１に固定される発光体１０２からの光をケース１０５の外に導くための携帯端末装置のカメラ用ライトレンズ保持構造に、前記発光体の周囲を囲むリフレクター開口部１０６ｄを有し、前記リフレクター開口部の壁面が光反射材で形成されるリフレクター部１０６ｂと、前記発光体の光を前記ケースの外に導き、前記リフレクター部と一体化し、前記ケースのケース開口部に挿入嵌合するレンズ部１０６ａとを備える。【選択図】図１
2005274635.tif 000002
【特許請求の範囲】
【請求項１】
カメラ用ライトとして回路基盤に固定される発光体からの光をケースの外に導くための携帯端末装置のカメラ用ライトレンズ保持構造において、
前記発光体の周囲を囲むリフレクター開口部を有し、前記リフレクター開口部の壁面が光反射材で形成されるリフレクター部と、
前記発光体の光を前記ケースの外に導き、前記リフレクター部と一体化し、前記ケースのケース開口部に挿入嵌合するレンズ部とを備えることを特徴とする携帯端末装置のカメラ用ライトレンズ保持構造。
【請求項２】
前記レンズ部は側壁の全周にくさび状のつば部を有し、前記ケースのケース開口部への挿入嵌合時に前記つば部は前記ケースの嵌合面と係り嵌合保持することを特徴とする、請求項１に記載の携帯端末装置のカメラ用ライトレンズ保持構造。
【請求項３】
前記つば部は、前記ケース開口部よりも大きくし、前記レンズ部の外形は前記ケースのケース開口部とほぼ同程度にすることを特徴とする、請求項２に記載の携帯端末装置のカメラ用ライトレンズ保持構造。
【請求項４】
前記つば部の大きさを調整して前記つば部と前記ケースの嵌合面と係り嵌合保持する嵌合力を調整することを特徴とする、請求項１に記載の携帯端末装置のカメラ用ライトレンズ保持構造。
【請求項５】
前記レンズ部と前記リフレクター部とは境界面でインサート成形工法又は２色射出成形工法で接合し、一体化されることを特徴とする、請求項１に記載の携帯端末装置のカメラ用ライトレンズ保持構造。
【請求項６】
前記リフレクター部の前記リフレクター開口部の壁面が光反射材として高反射率の白色材料で形成されることを特徴とする、請求項１に記載の携帯端末装置のカメラ用ライトレンズ保持構造。
【請求項７】
前記リフレクター部の前記リフレクター開口部の壁面の全周囲に光反射材として金属蒸着が行われることを特徴とする、請求項１に記載の携帯端末装置のカメラ用ライトレンズ保持構造。
【請求項８】
前記レンズ部は光導性の透明部材で形成されることを特徴とする、請求項１に記載の携帯端末装置のカメラ用ライトレンズ保持構造。
【請求項９】
前記リフレクター部で前記レンズ部との境界面に凸部を設け、前記レンズ部で前記リフレクター部との境界面に凹部を設け、前記凸部と前記凹部とを圧入嵌合で一体化することを特徴とする、請求項１に記載の携帯端末装置のカメラ用ライトレンズ保持構造。
【請求項１０】
前記発光体が搭載される小基盤の底面に導電ゴムが接着され、前記リフレクター部には前記発光体が内蔵され、前記ケースのケース開口部に対して、前記リフレクター付きレンズを挿入し押し込み、前記ケースの嵌合面に前記レンズ部のつば部を嵌合保持し、前記回路基盤と前記発光体との両者間には前記導電ゴムが介在し、前記リフレクター付きレンズを前記ケースに嵌合保持した時点で、圧着が完了し、導通することを特徴とする、請求項１に記載の携帯端末装置のカメラ用ライトレンズ保持構造。
【発明の詳細な説明】
【技術分野】
【０００１】
本発明は携帯電話機を含む携帯端末装置のカメラ用ライトレンズ保持構造に関する。特に、本発明は、組み立て容易性、生産効率性、保守性を兼ね備えた携帯端末装置のカメラ用ライトレンズ保持構造に関する。
【背景技術】
【０００２】
説明の簡単化のため、カメラ機能を有する携帯電話機の例について、以下に説明を行う。
図５は本発明の前提となる携帯電話機のカメラ用ライトレンズ保持構造の概略要部を示す分解斜視図であり、図６は図５の概略要部の断面図である。なお、全図を通して同一の構成要素には同一の番号、符号を付して説明を行う。
【０００３】
図５、図６に示すように、携帯電話機のケース１０５の一部分には、ピンボス１０５ａ、ケース開口部１０５ｂが設けられる。
さらに、カメラ機能を有する携帯電話機にはカメラ用ライトレンズとしてレンズ１０４が設けられ、レンズ１０４は固定用ピン孔であるレンズの開口部１０４ａ、レンズの発光窓１０４ｂを有する。
【０００４】
レンズ１０４は、携帯電話機のケース１０５のケース開口部１０５ｂに対して裏側から挿入され、ケース１０５のピンボス１０５ａとレンズ１０４の開口部１０４ａの嵌合により固定される。
携帯電話機には回路基盤１０１が設けられ、回路基盤１０１にはカメラ用ライトとして発光体１０２が実装され、さらに、リフレクター１０３が固定され、リフレクター１０３は中央に開口部１０３ａを有し、発光体１０２の周囲を囲む。
【０００５】
回路基盤１０１はケース１０５に対して爪嵌合、ネジ締結などにより固定され、ケース１０５と回路基盤１０１の間にはリフレクター１０３とレンズ１０４により一定の間隔を保持する。
リフレクター１０３は低消費電流で高輝度発光を得るために必要な光反射部材であり、通常は、反射率の高い白色成形品を用い、さらい、高輝度を得るために表面蒸着処理したものを使用し、本部品の固定構造としては回路基盤１０１上に貼付、発光体１０２に直接嵌合固定する
【０００６】
しかしながら、上述した図５、図６に示す従来の携帯電話機のカメラ用ライトレンズ保持構造にはいくつかの問題がある。
先ず、上述の従来の携帯電話機のカメラ用ライトレンズ保持構造には、レンズ１０４は、ケース１０５の一部に設けたケース開口部１０５ｂに対して、開口部１０４ａ、レンズの発光窓１０４ｂを少なくとも必要とし、携帯電話機のレンズ部小型化を困難にし、携帯電話機のレンズ部発光窓デザインを制約するという第１の問題がある。
【０００７】
次に、上述の従来の携帯電話機のカメラ用ライトレンズ保持構造には、リフレクター１０３とレンズ１０４を別々に固定する必要があるため、部品点数が多くなり組立時の各部品間のバラツキに繋がり、生産効率性がよくないという第２の問題がある。
次に、上述の従来の携帯電話機のカメラ用ライトレンズ保持構造には、ケース１０５に対して、発光体１０２の位置ズレが発生すると、リフレクター１０３の固定位置は発光体１０２に対して配置するのでレンズ１０４とリフレクター１０３との偏心ズレという外観上の不具合により、使用者に不安感を与えるという第３の問題がある。
【０００８】
次に、上述の携帯電話機のカメラ用ライトレンズ保持構造には、携帯電話機の組立後、異物混入、部品異常などが原因でリフレクター１０３を交換する場合、ケース１０５を分解し回路基盤１０１を取り外した後、リフレクター１０３を交換することになり、保守性がよくないという第４の問題がある。
従来、着信呼び出しを報知する着信発光体からの光を筐体外に導く着信レンズを備えた携帯電話機において、筐体と着信レンズとの間の隙間からの光漏洩を低減しかつ部品寸法管理を簡素化して組み立て性を向上させしかも着信レンズの保持強度を向上させる携帯用通信機を提供するため、着信レンズに光透過部，つば部，嵌合ばね部を形成し、筐体に形成した平坦部とＬＣＤパネルとの間につば部を挟み、ＬＣＤパネルの裏面に形成した係止突起を前記嵌合ばね部に挿通させる構成にしたものがある（例えば、特許文献１参照）。
【０００９】
しかしながら、上記特許文献１は、着信発光体からの光を筐体外に導く着信レンズを備える点で本発明の前提となる携帯電話機のカメラ用ライトレンズ保持構造と関連するが、本発明の前提となる携帯電話機のカメラ用ライトレンズ保持構造で特に指摘した、リフレクター１０３とレンズ１０４を別々に固定する事象に起因する問題を解決できない。
また、従来、携帯電話機の小型軽量化またデザインイメージを損ねることなく、そして、点灯時間を十分確保でき、さらには、どのような携帯電話機にでも用いることができる照明装置を提供することを目的とし、少なくとも携帯電話機の送信電波に同調するコイルとダイオードから構成される同調回路と、その同調回路の出力で点灯する発光体となるＬＥＤから照明装置を構成して、その照明装置を携帯電話機のアンテナロッドの先端に突設し、照明装置のＬＥＤは、携帯電話機を所持する者の送信操作により発信された携帯電話機の送信電波により点灯し、また、その送信電波が送信されている間点灯し、さらに、ＬＥＤは受信電波でも点灯するものがある（例えば、特許文献２参照）。
【００１０】
しかしながら、上記特許文献２では、照明装置の発光体を備える点で本発明の前提となる携帯電話機のカメラ用ライトレンズ保持構造と関連するが、本発明の前提となる携帯電話機のカメラ用ライトレンズ保持構造で特に指摘した、リフレクター１０３とレンズ１０４を別々に固定する事象に起因する問題を解決できない。
また、従来、携帯電話機などの携帯型電子機器で周囲が照らせるようにするため、例えばアンテナ側の端面部にカバーによって保護された電球と反射鏡とを取り付け、スイッチ７を操作することによりバッテリーと電球とが導通して電球が発光し、前方を照らせるようにしたものがある（例えば、特許文献３参照）。
【００１１】
上記特許文献３は、電球と反射鏡を備える点で本発明の前提となる携帯電話機のカメラ用ライトレンズ保持構造と関連するが、本発明の前提となる携帯電話機のカメラ用ライトレンズ保持構造で特に指摘した、リフレクター１０３とレンズ１０４を別々に固定する事象に起因する問題を解決できない。
また、機能モジュールの追加を任意の機種に対して行うことができる携帯電話機を提供するため、着脱可能な電池カバーを有する携帯電話機において、携帯電話機に新たな機能を追加する機能モジュールを電池カバーに搭載した。携帯電話機がカメラ機能を有する場合、電池カバーはストロボを有するストロボモジュールとすることができ、電池カバーを交換すれば、他の機能モジュールを利用することもできるものがある（例えば、特許文献４参照）。
【００１２】
上記特許文献４は、携帯電話機がカメラ機能を有し、ストロボを有する点で、本発明の前提となる携帯電話機のカメラ用ライトレンズ保持構造と関連するが、本発明の前提となる携帯電話機のカメラ用ライトレンズ保持構造で特に指摘した、リフレクター１０３とレンズ１０４を別々に固定する事象に起因する問題を解決できない。
また、従来、光制御にばらつきを発生しにくいビームライトを提供するため、発光ダイオードなどの点状光源と、透明樹脂などの透明材料で成形された光制御要素とを備えたビームライトであり、前記光制御要素は、その略中心に形成された後端開口の凹部を備え、この凹部の内部に前記点状光源が収められ、前記凹部の前面には凸レンズが形成されて、前記点状光源から前方に向けて放射される前方光は、前記凸レンズにて略平行光になるように光制御され、前記凹部の外周には前記凸レンズの外周に連なるとともに前記凹部の後端周縁から斜め前方に向けて広がり前記点状光源から放射される側部光を前方に向けて反射する反射面が一体に形成され、さらに前記反射面の前端縁に外向きに突出形成した複数の凸部を前記点状光源を搭載した基板内周に保持した外筒の前端に形成した複数の凹部にそれぞれ嵌合保持し、また、反射面の背面は金属蒸着膜を付着させるなどして鏡面とすると好ましいものがある（例えば、特許文献５参照）。
【００１３】
しかしながら、上記特許文献５は発光ダイオードなどの点状光源、レンズ、反射面を有する点で本発明の前提となる携帯電話機のカメラ用ライトレンズ保持構造と関連し、さらに、光制御部、凹部、凸部を介してレンズと反射面とを一体に形成する点で、本発明の前提となる携帯電話機のカメラ用ライトレンズ保持構造と異なり、本発明の前提となる携帯電話機のカメラ用ライトレンズ保持構造で特に指摘した、リフレクター１０３とレンズ１０４を別々に固定する事象に起因する問題を解決できない。
【００１４】
また、従来、固体撮像装置の鏡筒と撮像機器筐体との位置精度を上げ、固体撮像装置を撮像機器筐体に少ない空間で精度良く取り付けることによって、画像性能および意匠性の向上を図り、撮像機器の薄型化を可能にするため、固体撮像装置は、固体撮像素子と、撮像レンズおよび光学フィルタを支持する鏡筒と、固体撮像素子および鏡筒が固定された基板とを備え、鏡筒の円筒部を携帯電話機筐体の位置決め部に挿嵌し、鏡筒の本体部天面を位置決め部に当接させ、ピンを携帯電話機筐体の位置決め部に挿嵌することによって、携帯電話機に装着されるものがある（例えば、特許文献６参照）。
【００１５】
しかしながら、上記特許文献６は固体撮像装置を備える点で本発明の前提となる携帯電話機のカメラ用ライトレンズ保持構造と関連するが、本発明の前提となる携帯電話機のカメラ用ライトレンズ保持構造で特に指摘した、リフレクター１０３とレンズ１０４を別々に固定する事象に起因する問題を解決できない。
【００１６】
【特許文献１】特開２０００−１９６７１９号公報
【特許文献２】特開２００２−２６１８９６号公報
【特許文献３】特開２００２−２３２５４５号公報
【特許文献４】特開２００３−３３８８５７号公報
【特許文献５】特開２００３−２６３９０７号公報
【特許文献６】特開２００３−２９８８９１号公報
【発明の開示】
【発明が解決しようとする課題】
【００１７】
したがって、本発明は上記問題点に鑑みて、特に、レンズ部の小型化、レンズとリフレクターとの偏心ズレ防止を図り、組み立て容易性、生産効率性、保守性を兼ね備えた携帯電話機のカメラ用ライトレンズ保持構造を提供することを目的とする。
【課題を解決するための手段】
【００１８】
本発明は前記問題点を解決するために、カメラ用ライトとして回路基盤に固定される発光体からの光をケースの外に導くための携帯端末装置のカメラ用ライトレンズ保持構造において、前記発光体の周囲を囲むリフレクター開口部を有し、前記リフレクター開口部の壁面が光反射材で形成されるリフレクター部と、前記発光体の光を前記ケースの外に導き、前記リフレクター部と一体化し、前記ケースのケース開口部に挿入嵌合するレンズ部とを備えることを特徴とする携帯端末装置のカメラ用ライトレンズ保持構造を提供する。
【００１９】
さらに、前記レンズ部は側壁の全周にくさび状のつば部を有し、前記ケースのケース開口部への挿入嵌合時に前記つば部は前記ケースの嵌合面と係り嵌合保持する。
さらに、前記つば部は、前記ケース開口部よりも大きくし、前記レンズ部の外形は前記ケースのケース開口部とほぼ同程度にする。
さらに、前記つば部の大きさを調整して前記つば部と前記ケースの嵌合面と係り嵌合保持する嵌合力を調整する。
さらに、前記レンズ部と前記リフレクター部とは境界面でインサート成形工法又は２色射出成形工法で接合し、一体化される。
【００２０】
さらに、前記リフレクター部の前記リフレクター開口部の壁面が光反射材として高反射率の白色材料で形成される。
さらに、前記リフレクター部の前記リフレクター開口部の壁面の全周囲に光反射材として金属蒸着が行われる。
さらに、前記レンズ部は光導性の透明部材で形成される。
【００２１】
さらに、前記リフレクター部で前記レンズ部との境界面に凸部を設け、前記レンズ部で前記リフレクター部との境界面に凹部を設け、前記凸部と前記凹部とを圧入嵌合で一体化する。
さらに、前記発光体が搭載される小基盤の底面に導電ゴムが接着され、前記リフレクター部には前記発光体が内蔵され、前記ケースのケース開口部に対して、前記リフレクター付きレンズを挿入し押し込み、前記ケースの嵌合面に前記レンズ部のつば部を嵌合保持し、前記回路基盤と前記発光体との両者間には前記導電ゴムが介在し、前記リフレクター付きレンズを前記ケースに嵌合保持した時点で、圧着が完了し、導通する。
【発明の効果】
【００２２】
以上説明したように、本発明によれば、リフレクター部とレンズ部を一体化し、レンズ部に嵌合用のつば部を設けることでケースの外側からリフレクター部とレンズ部の２部品を一度に挿入できるようになった。
また、リフレクター部とレンズ部の一体化により、レンズ部の小型化、レンズとリフレクターとの偏心ズレ防止、組み立て向上、保守性向上、部品点数削減に起因する生産効率性向上、リフレクター部の偏心ズレ防止が同時に実現できるようになった。
【００２３】
また、レンズ部のつば部を全周囲に配置することで、光漏れ防止とレンズ部の脱落防止を確実に行うことができるようになった。
【発明を実施するための最良の形態】
【００２４】
以下、本発明の実施の形態について図面を参照して説明する。なお、説明の簡単化のため、携帯電話機の例について、以下に説明を行う。
図１は本発明に係る携帯電話機のカメラ用ライトレンズ保持構造の概略要部を示す分解斜視図である。
本図に示すように、図５と比較して、携帯電話機のカメラ用ライトレンズ保持構造では、発光体１０２をハンダ付け等で回路接続した回路基盤１０１は携帯電話機のケース１０５に爪嵌合、ネジ締結等で固定される。
【００２５】
携帯電話機のケース１０５のケース開口部１０５ｂにはリフレクター付きレンズ１０６が挿入され、リフレクター付きレンズ１０６にはレンズ部１０６ａが設けられ、レンズ部１０６ａは光導性の透明部材で成形され、発光体１０２からの光を携帯電話機のケース１０５の外に導出する。
さらに、レンズ部１０６ａにはつば部１０６ｃが設けられ、つば部１０６ｃはケース１０５との嵌合に用いられ、リフレクター付きレンズ１０６を携帯電話機のケース１０５の開口部１０５ｃに挿入した際にケース１０５の嵌合面１０５ｃと係り嵌合保持する。
【００２６】
より詳細には、レンズ部１０６ａのつば部１０６ｃは、断面形状がくさび状であり、ケース１０５のケース開口部１０５ｂに嵌め合う形でレンズ部１０６ａの側壁の全周囲に設けられる。
リフレクター付きレンズ１０６の固定に要する部位は、レンズ部１０６ａのつば部１０６ｃのみであり、余分な面積を必要とせず、つば部１０６ｃの大きさを調整し、携帯電話機のケース開口部１０５ｂよりも少し大きくし、携帯電話機のケース開口部１０５ｂと同程度のレンズ部１０６ａの外形の実現を可能にする。
【００２７】
すなわち、簡単な形状であるので、従来と比較して、携帯電話機のレンズ部１０６ａの小型化が可能になり、さらに、レンズ部１０６ａに不要な開口部がなくなり、レンズ発光窓のデザイン制約が減少する。
レンズ部１０６ａには発光体１０２側にリフレクター部１０６ｂが設けられ、リフレクター部１０６ｂは発光体１０２の周囲を囲むリフレクター開口部１０６ｄを有し、リフレクター開口部１０６ｄの壁面は、発光体１０２からの光を反射する機能を有する。
【００２８】
さらに、リフレクター部１０６ｂは、外観不良防止するためにインサート成形、２色射出成形工法などで、レンズ部１０６ａの境界面に接合される。
リフレクター部１０６ｂのリフレクター開口部１０６ｄの壁面は、発光体１０２からの光の反射するため、光反射材で形成され、例えば、高反射率の白色材で成形される。
このようにして、リフレクター付きレンズ１０６がレンズ部１０６ａとリフレクター部１０６ｂの一体化した部品なので、ケース１０５の外側からリフレクター付きレンズ１０６を嵌め込むことによりレンズとリフレクターを一度に嵌め込めすることが可能になる。すなわち、ケース１０５に対してレンズ部１０６ａとリフレクター部１０６ｂの２部品を一度に組み立てることが可能になり、部品点数削減が可能になる。すなわち、組み立て向上、生産効率性向上が図れる。
【００２９】
さらに、リフレクター付きレンズ１０６がレンズ部１０６ａとリフレクター部１０６ｂの一体化した部品なので、従来と比較して、レンズ部１０６ａとリフレクター部１０６ｂとの偏心ズレに起因する外観上の不具合がなくなった。このため、従来のように、偏心ズレという外観上の不具合により、使用者に不安感を与えることがなくなった。
さらに、リフレクター部１０６ｂが回路基盤１０１とレンズ部１０６ａの間で保持固定されるために、リフレクター付きレンズ１０６がケース１０５の内側に脱落するのを防止することが可能になる。
【００３０】
さらに、ケース１０５内に回路基盤１０１を固定した後に、携帯電話機内への異物混入、部品異常の発生などが原因でリフレクター部１０６ｂの交換をする場合、従来のように、ケース１０５を分解して回路基盤１０１を取り外すことなく、リフレクター付きレンズ１０６のみを取り外せば容易にリフレクター部１０６ｂの交換が可能になり、保守性向上が得られる。
【００３１】
さらに、リフレクター付きレンズ１０６をケース１０５のケース開口部１０５ｂに嵌合時には、ケース１０５とレンズ部１０６ａとの間に間隙なく組み立てられるので、ケース１０５の外側への光漏れを防止することができる。このため、確実にリフレクター付きレンズ１０６をケース１０５に固定することが可能になる。
図２は図１における携帯電話機のカメラ用ライトレンズ保持構造を有する概略要部の製造方法例を説明する断面図である。
【００３２】
本図に示すように、回路基盤１０１に対してハンダ付けなどで発光体１０２を回路に接続し、発光可能な状態にする。
回路基盤１０１を携帯電話機のケース１０５の一方に爪嵌合、ネジ締結などで携帯電話機の使用上問題ないように固定する。
一方で、リフレクター付きレンズ１０６の製造方法としては、レンズ部１０６ａは、光導性のある透明材料とし、リフレクター部１０６ｂのリフレクター開口部１０６ｄは、発光体１０２の周囲を囲み、リフレクター開口部１０６ｄの壁面は、発光体１０２からの光を反射する機能を有する高反射率の白色材料で形成され、レンズ部１０６ａとリフレクター部１０６ｂは境界面で２色射出成形工法、インサート成形工法により一体成形される。
【００３３】
リフレクター付きレンズ１０６を携帯電話機のケース１０５の外側から、ケース開口部１０５ｂに挿入し、リフレクター付きレンズ１０６のつば部１０６ｃによりケース１０５の嵌合面１０５ｃと係り嵌合するまで押し込むことでレンズ部１０６ａとリフレクター付きレンズ１０６を一度に組み立てることができる。
また、リフレクター付きレンズ１０６の固定に要する部位は、前述のように、つば部１０６ｃのみであり、つば部１０６ｃの大きさを調整することで、組み立て時に必要となる、つば部１０６ｃとケース１０５の嵌合面１０５ｃと係り嵌合保持する嵌合力の調整を可能とする。
【実施例１】
【００３４】
図３は図２の第１の変形例であり、携帯電話機のカメラ用ライトレンズ保持構造を有する概略要部の製造方法を説明する断面図である。
本図に示すように、図２と比較して、リフレクター部１０６ｂにはレンズ部１０６ａとの境界面に凸部１０６ｆが設けられ、レンズ部１０６ａにはリフレクター部１０６ｂとの境界面に凹部１０６ｅが設けられ、リフレクター部１０６ｂの凸部１０６ｆとレンズ部１０６ａの凹部１０６ｅが相互に圧入嵌合し、レンズ部１０６ａとリフレクター部１０６ｂが一体成形される。
【００３５】
レンズ部１０６ａとリフレクター部１０６ｂの固定方法以外は図１に示す構造と同等の構造である。
なお、リフレクター部１０６ｂのリフレクター開口部１０６ｄの壁面の全周囲に金属蒸着するようにしてもよい。このようして、高反射率により高輝度ストロボの実現が可能になる。
【実施例２】
【００３６】
図４は図２の第２の変形例であり、携帯電話機のカメラ用ライトレンズ保持構造を有する概略要部の製造方法を説明する断面図である。
本図に示すように、図２と比較して、発光体１０２が小基盤１０６ｇに搭載され、小基盤１０６ｇの底面に導電ゴム１０６ｈが接着され、リフレクター部１０６ｂには発光体１０２が内蔵され、発光体１０２もリフレクター付きレンズ１０６に一体化される。
【００３７】
すなわち、ケース１０５のケース開口部１０５ｂに対して、リフレクター付きレンズ１０６を挿入し押し込み、ケース１０５の嵌合面１０５ｃにレンズ部１０６ａのつば部１０６ｃを嵌合保持すると、回路基盤１０１と発光体１０２との両者間には導電ゴム１０６ｈが介在し、リフレクター付きレンズ１０６をケース１０５に嵌合保持した時点で、圧着が完了され、導通する仕組みとなる。
【００３８】
導電ゴム１０６ｈの反発により、ケース１０５に対するリフレクター付きレンズ１０６保持もより確実で強固となり、発光体１０２とリフレクター付きレンズ１０６の間に密閉空間が生じることで、異物混入回避に有効な構造となる。さらに、保守性向上を図ることが可能になる。
【産業上の利用可能性】
【００３９】
以上の説明では、携帯電話機について本発明の適用を説明したが、ＰＨＳ（Ｐｅｒｓｏｎａｌ  Ｈａｎｄｙｐｈｏｎｅ  Ｓｙｓｔｅｍ）、ＰＤＡ（携帯情報端末）を含む携帯端末装置であって、カメラ用ライトレンズを有する装置の適用が可能である。
【図面の簡単な説明】
【００４０】
【図１】本発明に係る携帯電話機のカメラ用ライトレンズ保持構造の概略要部を示す分解斜視図である。
【図２】図１における携帯電話機のカメラ用ライトレンズ保持構造を有する概略要部の製造方法例を説明する断面図である。
【図３】図２の第１の変形例であり、携帯電話機のカメラ用ライトレンズ保持構造を有する概略要部の製造方法を説明する断面図である。
【図４】図２の第２の変形例であり、携帯電話機のカメラ用ライトレンズ保持構造を有する概略要部の製造方法を説明する断面図である。
【図５】本発明の前提となる携帯電話機のカメラ用ライトレンズ保持構造の概略要部を示す分解斜視図である。
【図６】図５の概略要部の断面図である。
【符号の説明】
【００４１】
１０１…回路基盤
１０２…発光体
１０５…ケース
１０５ｂ…ケース開口部
１０５ｃ…嵌合面
１０６…リフレクター付きレンズ
１０６ａ…レンズ部
１０６ｂ…リフレクター部
１０６ｃ…つば部
１０６ｄ…リフレクター開口部
１０６ｅ…凹部
１０６ｆ…凸部
１０６ｇ…小基盤
１０６ｈ…導電ゴム
【図１】
2005274635.tif 000003
【図２】
2005274635.tif 000004
【図３】
2005274635.tif 000005
【図４】
2005274635.tif 000006
【図５】
2005274635.tif 000007
【図６】
2005274635.tif 000008